(57)【要約】【課題】走行履歴を自動的に削除または保存処理可能なナビゲーション装置、および走行履歴の削除／保存方法の提供を図る。【解決手段】操作スイッチ５が操作されることにより、ＣＰＵ７の走行履歴削除条件生成機能８によって、第２メモリ４に蓄積された削除走行履歴から２つ以上の共通点を抽出して削除条件を生成する。第１メモリ３に記録された新たな走行記録を、走行履歴削除判断機能９によって削除すべきか否かを判断する。新たな走行記録が削除条件に該当した場合、これを走行履歴削除機能１０によって自動的に削除する。【選択図】図１
2011247744.tif 000002
【特許請求の範囲】
【請求項１】
ユーザーの操作により走行履歴の削除、または保存を設定する設定手段と、
削除された走行履歴、または保存された走行履歴を蓄積する削除走行履歴／保存走行履歴蓄積手段と、
蓄積された削除走行履歴、または保存走行履歴のそれぞれの共通点を抽出して、該共通点を用いて、走行履歴削除条件、または走行履歴保存条件を生成する走行履歴削除条件／走行履歴保存条件生成手段と、
新たな走行履歴が、前記走行履歴削除条件、または走行履歴保存条件に該当するかどうかを判断する走行履歴削除／走行履歴保存判断手段と、
前記走行履歴削除／走行履歴保存判断手段により、該当すると判断された新たな走行履歴を削除、または保存する走行履歴削除／走行履歴保存手段と、を備えたことを特徴とするナビゲーション装置。
【請求項２】
前記走行履歴削除条件／走行履歴保存条件生成手段は、蓄積された削除走行履歴同士、または保存走行履歴同士のそれぞれの共通点を２つ以上抽出して、走行履歴削除条件、または走行履歴保存条件を生成することを特徴とする請求項１に記載のナビゲーション装置。
【請求項３】
削除した走行履歴、または保存された走行履歴を蓄積して、蓄積された削除走行履歴、または蓄積された保存走行履歴の中からそれぞれの共通点を抽出して走行履歴削除条件、または走行履歴保存条件を生成し、新たな走行履歴が、走行履歴削除条件、または走行履歴保存条件に該当した場合に、この新たな走行履歴を削除、または保存することを特徴とする走行履歴の削除／保存方法。
【発明の詳細な説明】
【技術分野】
【０００１】
本発明は、自動車のナビゲーション装置、およびナビゲーション装置における走行履歴の削除／保存方法に関する。
【背景技術】
【０００２】
特許文献１には、一時保存用バッファに蓄積されている走行履歴を削除するか、保存するかをユーザーが指示することで走行履歴を削除／保存する技術が開示されている。
【先行技術文献】
【特許文献】
【０００３】
【特許文献１】特開２００１−１４７１２２号公報
【発明の概要】
【発明が解決しようとする課題】
【０００４】
特許文献１の技術では、一時保存用バッファに蓄積されている走行履歴を、いちいちユーザーが削除、または保存する操作の手間が発生するため、利便性が低下してしまうことは否めない。
【０００５】
そこで、本発明は新たな走行履歴がユーザーにとって削除、または保存すべき走行履歴であるかどうかを過去の蓄積走行履歴から判断して、自動的に削除、または保存処理することができるナビゲーション装置および走行履歴の削除／保存方法を提供するものである。
【課題を解決するための手段】
【０００６】
本発明のナビゲーション装置にあっては、削除した走行履歴、または保存された走行履歴を蓄積する削除走行履歴／保存走行履歴蓄積手段と、蓄積された削除走行履歴、または蓄積された保存走行履歴の中からそれぞれの共通点を抽出して走行履歴削除条件、または走行履歴保存条件を生成する走行履歴削除条件／走行履歴保存条件生成手段を備えている。そして、新たな走行履歴が、走行履歴削除条件、または走行履歴保存条件に該当した場合に、この新たな走行履歴を削除、または保存することを主要な特徴としている。
【発明の効果】
【０００７】
本発明によれば、ユーザーが車両を走行する前にこれからの走行履歴を削除するか、保存するかを設定し、あるいは、走行した後にその走行履歴を削除するか、保存するかを設定する。これにより、新たな走行履歴が特定された走行履歴削除条件、または走行履歴保存条件に該当した場合に、この新たな走行履歴が自動的に削除、または保存される。
【０００８】
この結果、ユーザーがいちいち過去の蓄積走行履歴を検索して、新たな走行履歴が削除、または保存すべき走行履歴であるかどうかを判断して削除、または保存の操作をする手間が省けて、利便性を高めることができる。
【図面の簡単な説明】
【０００９】
【図１】本発明に係るナビゲーション装置の第１実施形態の機能構成を示すブロック図。
【図２】ナビゲーション装置に蓄積された走行履歴の一例を示す説明図。
【図３】ＧＰＳ信号の受信によって得られる停車地点のラベリング処理の一例を示す説明図。
【図４】第１実施形態の走行履歴削除処理の手順を示すフローチャート図。
【図５】本発明に係るナビゲーション装置の第２実施形態の機能構成を示すブロック図。
【図６】第２実施形態の走行履歴保存処理の手順を示すフローチャート図。
【発明を実施するための形態】
【００１０】
以下、本発明の実施形態を図面と共に詳述する。
【００１１】
図１は本発明の第１実施形態に係るナビゲーション装置における走行履歴自動削除システムの機能構成を示している。
【００１２】
この走行履歴自動削除システムは、ＧＰＳ信号を受信するＧＰＳアンテナ１，車両の運転開始・終了を検出するイグニションセンサ２，走行履歴を蓄積する第１メモリ３，削除した走行履歴を蓄積する第２メモリ４，削除指示入力用の操作スイッチ５，走行記録表示パネル６，およびシステム全体の制御を司どるＣＰＵ７等を備えている。
【００１３】
ＧＰＳアンテナ１は、自車位置や日時，曜日を特定するためのＧＰＳ信号を受信し、イグニションセンサ２は、イグニションキースイッチの状態を検出して車両の運転開始・終了を検出する。
【００１４】
第１メモリ３は、ＧＰＳアンテナ１およびイグニションセンサ２からの情報をもとに、自車の走行履歴を記録して一時的に保管する。
【００１５】
具体的には、ＧＰＳアンテナ１によって一定時間間隔で取得した自車の位置情報、情報取得日時等で構成された運転開始地点から運転終了地点まで走行した経路上の走行軌跡記録と、出発地点，到着地点の名称と緯度経度が記録された登録地点データベースを蓄積する。
【００１６】
一方、第２メモリ４は、過去にユーザーによって削除された走行履歴を蓄積する。
【００１７】
ＣＰＵ７は、走行履歴削除条件生成機能８と、走行履歴削除判断機能９と、走行履歴削除機能１０と、を備える。
【００１８】
これらの各機能８，９，１０は、ユーザーにより走行前、あるいは走行後に操作スイッチ５が操作されて削除指示の設定がなされることによって、それぞれの処理動作が実行される。
【００１９】
即ち、走行履歴削除条件は、第２メモリ４に蓄積された削除走行履歴から２つ以上の共通点を抽出して、この共通点を用いて走行履歴削除条件を生成する。
【００２０】
走行履歴削除判断は、第１メモリ３に記録された新たな走行記録が、上記の走行履歴削除条件に該当するかどうかを判断する。
【００２１】
そして、新たな走行履歴が走行履歴削除条件に該当すると判断された場合に、この新たな走行履歴を削除する。
図２は、第１メモリ３に記録される走行履歴の一例を示すものである。
【００２２】
自車の出発地点、および到着地点は、本来であれば、イグニションセンサ２によって車両の運転開始・終了が判別された際に、ＧＰＳアンテナ１から得られた座標情報として取得される。
【００２３】
しかし、ＧＰＳアンテナ１によって得られる座標情報は、車両が同じ地点に停車しても精度上から異なる座標値として計測される。例えば、スーパー等、複数の駐車枠がある場所に車両を停車する場合には、必ずしも同じ地点に停車できる訳ではない。従って、このような場合においても同じ目的地へ停車したと判別するための処理を行う必要がある。
【００２４】
そこで、本実施形態では図３に示すように、車両の停車地点を座標値として表すのではなく、ある近しい座標点を同一のラベルとして表す方法を採用している。
【００２５】
図３に示す座標値は各ラベルの代表点である。この代表点は近しい点であると判断された点の重心によって表され、この重心からの距離が一定範囲内であれば同じラベルを表す地点として登録される。このラベル名称は代表点から最も近い施設名称、または住所番地、あるいはユーザーが適宜名づけてもよい。
【００２６】
次に、ＣＰＵ７の走行履歴削除条件生成機能８における走行履歴削除条件生成処理について説明する。
【００２７】
走行履歴削除条件生成機能８は、ユーザーが自身では把握しきれない走行履歴の削除条件を、第２メモリ４に蓄積された過去に削除した走行履歴から抽出する。
【００２８】
ある地点Ａを停車地点（出発地点、もしくは到着地点，経由地点）とした走行履歴を全て削除したい場合など、単一の条件下にある走行履歴を削除したい場合であれば、ユーザーでも走行履歴削除条件を事前に設定しておくことは難しくない。しかしながら、ある地点Ａを停車地点とし、かつ、走行時間帯が深夜の場合にのみ削除したいという場合など、削除条件が２つ以上となるとユーザーにとって正確な把握が難しくなる。これによって、ユーザー自身では事前に削除条件を設定して、走行履歴の自動削除を行うことができない。
【００２９】
そこで、本実施形態ではユーザーの代わりに、ユーザーが過去に削除した走行履歴、即ち、第２メモリ４に蓄積された削除走行履歴から複数の条件が重なった事例を見つけ出し、これを削除条件として採用する。そして、採用された削除条件に対して、第１メモリ３により新たに記録された走行履歴がこれにあてはまるか否かを監視し、該当する場合であれば、この新たな走行履歴を削除する。
【００３０】
この削除条件とは、例えば図２に示された日時（時間帯）、停車地点、曜日といった項目を指す。そして、例えば時間帯が「夜」、停車地点が「釣具屋○○」である走行履歴が複数削除されているのであれば、これを削除条件として採用する。
【００３１】
図４は、走行履歴削除条件生成機能８における処理手順の一例を示すフローチャートである。このフローチャートに示す処理は、車両のエンジン始動により、ＣＰＵ７によって実行される。
【００３２】
ステップＳ１では、諸条件の中から、走行履歴項目の例えば「時間帯」と「停車地点」といった２条件を選択し、さらに特定の変数を選択する。例えば、削除対象である新たな走行履歴が、「２００９／１２／１０木曜日の夜に自宅から釣具屋○○に至るルート」であった場合、「時間帯」であれば「夜」を選択し、「停車地点」であれば「釣具屋○○」を選択する。２変数を選出した後、ステップＳ２に進む。
【００３３】
ステップＳ２では、第２メモリ４に蓄積された削除走行履歴の中に、ステップＳ１にて選択した２条件に該当する削除走行履歴があるかを検索して有無を判別する。該当する削
除走行履歴がある場合はステップＳ３へ進む。一方、該当する削除走行履歴がない場合はステップＳ６へ進む。
【００３４】
ステップＳ３では、上記２条件に該当する削除走行履歴の数がしきい値αよりも多いかを判別する。該当する削除走行履歴の数がある程度の数量あることにより信頼性を向上することができる。このしきい値αはある一定値を定めてもよいし、ユーザーが適宜に設定できるようにしてもよい。該当数がしきい値αよりも多い場合にはステップＳ４へ進む。一方、少ないようであればステップＳ６へ進む。
【００３５】
ステップＳ４では、上記２条件に該当する走行履歴が第１メモリ３に記録されているか否かを判別する。もし記録されているようであれば、削除条件としてしまうことによって記録されている削除したくない走行履歴までも消すこととなってしまうため、上記２条件による削除条件生成を行わずステップＳ６へ進む。一方、上記２条件に該当する走行履歴が第１メモリ３に記録されていない場合は、上記２条件を削除条件とすることに問題がないと判断し、ステップ５においてこれを採用する。その後、ステップＳ６の処理へ進む。
【００３６】
ステップＳ６では、今回の試行で利用した２条件以外にまだ検索キーとして試していない組み合わせが残っているかを確認し、残っているようであればステップＳ７へ進み、新たな組み合わせを生成する。例えば「時間帯」を「夜」、「曜日」を「木曜日」といった具合に別の組み合わせを生成する。そして、ステップＳ２へ戻り、再び新たな組み合わせを検索キーとして第２メモリ４中に該当する削除走行記録がないか検索を行う。この処理動作は設定された変数回繰返される。
もし、他の組み合わせがなければ、削除条件生成処理を終了する。
【００３７】
このように第１実施形態の走行履歴自動削除システムにあっては、ユーザーが車両を走行する前にこれからの走行履歴を削除するか、あるいは、走行した後にその走行履歴を削除するかを、操作スイッチ５を操作して決定する。
【００３８】
これにより、新たな走行履歴が特定された走行履歴削除条件に該当した場合に、この新たな走行履歴が自動的に削除される。
【００３９】
この結果、ユーザーがいちいち過去の蓄積走行履歴を検索して、新たな走行履歴が削除すべき走行履歴であるかどうかを判断して削除操作をする手間が省けて、利便性を高めることができる。
【００４０】
また、走行履歴削除条件は、蓄積された削除走行履歴同士の共通点を２つ以上抽出して生成するため、削除処理精度を高めることができる。
【００４１】
図５は本発明の第２実施形態に係るナビゲーション装置における走行履歴自動保存システムの機能構成を示している。
【００４２】
本実施形態では、第２メモリ４Ａが保存する走行履歴を蓄積し、操作スイッチ５Ａが保存指示を入力する。また、ＣＰＵ７は、走行履歴保存条件生成機能８Ａと、保存判断機能９Ａと、保存機能１０Ａとを備える。その他の構成は第１実施形態と同様である。
【００４３】
図６に、第２実施形態における走行履歴保存条件生成機能８Ａの処理手順をフローチャートにして示す。
【００４４】
ステップＳ１，ステップＳ４，ステップＳ６，およびステップＳ７の各処理は第１実施形態と同様である。
【００４５】
ステップＳ２２では、第２メモリ４Ａに蓄積された保存走行履歴の中に、ステップＳ１にて選択した２条件に該当する保存走行履歴があるか否かを判別している。
【００４６】
ステップＳ２３では、上記２条件に該当する保存走行履歴の数がしきい値αよりも多いかを判別している。
【００４７】
そして、ステップＳ４の処理後に、ステップＳ２５において保存条件のルール化を行っている。
【００４８】
従って、この第２実施形態では、走行履歴を保存する場合に、過去の保存走行履歴に照らして、保存すべき走行履歴であればこれを自動的に保存することができる。
【００４９】
なお、前記各実施形態において、新たな走行履歴が走行履歴削除条件に該当する場合、これを自動的に削除し、該当しない場合には保存することも可能である。
【００５０】
また、新たな走行履歴が走行履歴保存条件に該当する場合、これを自動的に保存し、該当しない場合には削除することも可能である。
【００５１】
また、各実施形態と各請求項の構成との対応関係において、操作スイッチ５，５Ａが削除・保存の設定手段に、第２メモリ４，４Ａが削除走行履歴／保存走行履歴蓄積手段に相当する。また、走行履歴削除条件／走行履歴保存条件生成機能８・８Ａが走行履歴削除条件／走行履歴保存条件生成手段に、走行履歴削除／走行履歴保存判断機能９・９Ａが走行履歴削除／走行履歴保存判断手段に、走行履歴削除／走行履歴保存機能１０・１０Ａが走行履歴削除／走行履歴保存手段に相当する。
【符号の説明】
【００５２】
１…ＧＰＳアンテナ
２…イグニションセンサ
３…第１メモリ（走行履歴記録手段）
４・４Ａ…第２メモリ（削除走行履歴／保存走行履歴蓄積手段）
５・５Ａ…操作スイッチ（削除・保存設定手段）
６…走行記録表示パネル
７…ＣＰＵ
８・８Ａ…走行履歴削除条件／走行履歴保存条件生成手段
９・９Ａ…走行履歴削除／走行履歴保存判断手段
１０・１０Ａ…走行履歴削除／走行履歴保存手段
【図１】
2011247744.tif 000003
【図２】
2011247744.tif 000004
【図３】
2011247744.tif 000005
【図４】
2011247744.tif 000006
【図５】
2011247744.tif 000007
【図６】
2011247744.tif 000008